(57)【特許請求の範囲】
【請求項１】
貯湯タンク本体(１，２１)と、
上記貯湯タンク本体(１，２１)に配置された電装品アッセンブリ(２)と、
上記貯湯タンク本体(１，２１)に配置された水回路アッセンブリ(３，２３)と
を備え、
上記電装品アッセンブリ(２)は、
電装品箱(２０１)と、
上記電装品箱(２０１)内に収容された複数の電装品(２０２，２０３，２０４)と
を有し、
上記水回路アッセンブリ(３，２３)は、
水回路部品箱(３０１，３２１)と、
上記水回路部品箱(３０１，３２１)内に収容され、かつ、上記貯湯タンク本体(１，２１)に接続された水回路(３０２，３２２)と、
上記水回路部品箱(３０１，３２１)内に収容され、上記水回路(３０２，３２２)内の水の流れを制御する弁装置(３０３，３０４，３０５，３０６)と、
上記水回路部品箱(３０１，３２１)内に収容されると共に、上記貯湯タンク本体(１，２１)内の水を上記水回路(３０２，３２２)を介して吸い込んで外部へ吐出するポンプ装置(３０７，３０８)と
を有し、
上記水回路アッセンブリ(３，２３)は上記電装品アッセンブリ(２)の下方に配置され、
上記貯湯タンク本体(１)の上部へ接続される配管(１０)への上記水回路(３０２)の配管の接続口(Ａ，Ｂ，Ｃ)は、上記水回路部品箱(３０１)の上部において上方に開口し、
上記水回路部品箱(３０１)の上部の端部において上方に開口する接続口(Ａ，Ｂ，Ｃ)は複数あって、この複数の接続口(Ａ，Ｂ，Ｃ)は上記水回路部品箱(３０１)の上記上部の上記端部において上縁に沿って整列していることを特徴とする貯湯タンク装置。
【請求項２】
請求項１に記載の貯湯タンク装置において、
上記電装品アッセンブリ(２)および水回路アッセンブリ(３，２３)は、支柱(５)に取り付けられ、上記貯湯タンク本体(１，２１)の同じ一側に配置されていることを特徴とする貯湯タンク装置。
【請求項３】
請求項１または２に記載の貯湯タンク装置において、
上記貯湯タンク本体(１)の下部へ接続される配管(１１)への上記水回路(３０２)の配管の接続口(Ｄ，Ｅ，Ｆ，Ｇ)は、上記水回路部品箱(３０１)の下部において下方に開口していることを特徴とする貯湯タンク装置。
【請求項４】
請求項３に記載の貯湯タンク装置において、
上記水回路部品箱(３０１)の下部において下方に開口する接続口(Ｄ，Ｅ，Ｆ，Ｇ)は複数あって、この複数の接続口(Ｄ，Ｅ，Ｆ，Ｇ)は上記水回路部品箱(３０１)の下縁に沿って整列していることを特徴とする貯湯タンク装置。
【請求項５】
請求項３または４に記載の貯湯タンク装置において、
上記貯湯タンク本体(１)の下部へ接続される配管(１１)は、略Ｕ字状に屈曲した部分を有することを特徴とする貯湯タンク装置。
【請求項６】
請求項１から５までのいずれか一項に記載の貯湯タンク装置において、
側方へ延びる配管への上記水回路(３０２)の配管の接続口(Ｈ，Ｊ，Ｋ，Ｌ，Ｎ，Ｍ，Ｐ)は、上記水回路部品箱(３０１)の側部において側方に開口していることを特徴とする貯湯タンク装置。
【請求項７】
請求項６に記載の貯湯タンク装置において、
上記水回路部品箱(３０１)の側部において側方に開口している接続口(Ｈ，Ｊ，Ｋ，Ｌ，Ｎ，Ｍ，Ｐ)は複数あって、この複数の接続口(Ｈ，Ｊ，Ｋ，Ｌ，Ｎ，Ｍ，Ｐ)は上記水回路部品箱(３０１)の側縁に沿って整列していることを特徴とする貯湯タンク装置。
【請求項８】
請求項１または２に記載の貯湯タンク装置において、
上記貯湯タンク本体(２１)の上部(２１ａ)と上記水回路部品箱(３２１)の上部とを接続すると共に、上記貯湯タンク本体(２１)の上部(２１ａ)内と上記水回路(３２２)の配管とを連通させる第１配管(４１)と、
上記貯湯タンク本体(２１)の中間部(２１ｂ)と上記水回路部品箱(３２１)の側部とを接続すると共に、上記貯湯タンク本体(２１)の中間部(２１ｂ)内と上記水回路(３２２)の配管とを連通させる第２配管(４２)と、
上記貯湯タンク本体(２１)の下部(２１ｃ)と上記水回路部品箱(３２１)の下部とを接続すると共に、上記貯湯タンク本体(２１)の下部(２１ｃ)内と上記水回路(３２２)の配管とを連通させる第３配管(４３)と
を備えたことを特徴とする貯湯タンク装置。
【請求項９】
請求項８に記載の貯湯タンク装置において、
上記第３配管(４３)は、略Ｕ字状に屈曲した部分(４３ｃ)を有することを特徴とする貯湯タンク装置。
【請求項１０】
請求項１または２に記載の貯湯タンク装置において、
上記水回路(３２２)の配管の接続口は、上記水回路部品箱の上面のみに設けられていることを特徴とする貯湯タンク装置。
【請求項１１】
水回路部品箱(３０１，３２１)と、
上記水回路部品箱(３０１，３２１)内に収容された水回路(３０２，３２２)と、
上記水回路部品箱(３０１，３２１)内に収容され、上記水回路(３０２，３２２)の水の流れを制御する弁装置(３０３，３０４，３０５，３０６)と、
上記水回路部品箱(３０１，３２１)内に収容されると共に、上記水回路(３０２，３２２)の水を吸い込んで外部へ吐出するポンプ装置(３０７，３０８)と
を有し、
上記水回路部品箱(３０１，３２１)の上部には、上記水回路(３０２，３２２)の配管の接続口(Ａ，Ｂ，Ｃ)が上方に開口するように設けられ、
上記水回路部品箱(３０１，３２１)の上部の端部において上方に開口する接続口(Ａ，Ｂ，Ｃ)は複数あって、この複数の接続口(Ａ，Ｂ，Ｃ)は上記水回路部品箱(３０１，３２１)の上記上部の上記端部において上縁に沿って整列していることを特徴とする水回路アッセンブリ。
【請求項１２】
請求項１１に記載の水回路アッセンブリにおいて、
上記水回路部品箱(３０１，３２１)の下部には、上記水回路(３０２，３２２)の配管の接続口(Ｄ，Ｅ，Ｆ，Ｇ)が下方に開口するように設けられていることを特徴とする水回路アッセンブリ。
【請求項１３】
請求項１２に記載の水回路アッセンブリにおいて、
上記水回路部品箱(３０１，３２１)の下部において下方に開口する接続口(Ｄ，Ｅ，Ｆ，Ｇ)は複数あって、この複数の接続口(Ｄ，Ｅ，Ｆ，Ｇ)は上記水回路部品箱(３０１，３２１)の下縁に沿って整列していることを特徴とする水回路アッセンブリ。
【請求項１４】
請求項１１から１３までのいずれか一項に記載の水回路アッセンブリにおいて、
上記水回路部品箱(３０１，３２１)の側部には、上記水回路(３０２，３２２)の配管の接続口(Ｂ’，Ｈ，Ｊ，Ｋ，Ｌ，Ｎ，Ｍ，Ｐ)が側方に開口するように設けられていることを特徴とする水回路アッセンブリ。
【請求項１５】
請求項１４に記載の水回路アッセンブリにおいて、
上記水回路部品箱(３０１，３２１)の側部において側方に開口している接続口(Ｂ’，Ｈ，Ｊ，Ｋ，Ｌ，Ｎ，Ｍ，Ｐ)は複数あって、この複数の接続口(Ｂ’，Ｈ，Ｊ，Ｋ，Ｌ，Ｎ，Ｍ，Ｐ)は上記水回路部品箱(３０１，３２１)の側縁に沿って整列していることを特徴とする水回路アッセンブリ。
【発明の詳細な説明】
【技術分野】
【０００１】
本発明は、例えば給湯装置や暖房給湯装置等に使用される貯湯タンク装置および水回路アッセンブリに関する。
【背景技術】
【０００２】
従来、貯湯タンク装置としては、特開２００７−８５６５６号公報（特許文献１）に記載されたものがある。この貯湯タンク装置は、貯湯タンク本体と、この貯湯タンク本体内の水を外部へ吐出する複数のポンプと、その水の流路を開閉する複数の弁とを備えている。この貯湯タンク本体、複数のポンプおよび複数の弁は、複数の配管を用いて互いに接続されている。
【０００３】
ところで、上記貯湯タンク装置を設置する場合、配管設備業者は、貯湯タンク本体、複数のポンプ、複数のポンプおよび複数の配管を互いに分離した状態で車に積んで設置場所近くまで行く。そして、上記配管設備業者は、貯湯タンク本体、複数のポンプ、複数のポンプおよび複数の配管を車から降ろして設置場所に運ぶ。
【０００４】
しかしながら、上記貯湯タンク本体、複数のポンプ、複数のポンプおよび複数の配管を互いに分離した状態であるため、これらは持ち運び難くて、搬入性が悪いという問題がある。
【０００５】
また、上記配管設備業者は、貯湯タンク本体、複数のポンプ、複数のポンプおよび複数の配管を設置場所にて組み立てるが、組み立てる部品の数が多いため、組み立てが困難だという問題がある。
【０００６】
また、上記組み立てる部品の数が多いと、組み立てミスが起こり易く、信頼性を高くすることができないという問題がある。
【特許文献１】特開２００７−８５６５６号公報
【発明の開示】
【発明が解決しようとする課題】
【０００７】
そこで、本発明の課題は、搬入性を向上させることができ、組み立て性を良好にできて高信頼性の貯湯タンク装置を提供することにある。
【課題を解決するための手段】
【０００８】
上記課題を解決するため、本発明の貯湯タンク装置は、
貯湯タンク本体と、
上記貯湯タンク本体に配置された電装品アッセンブリと、
上記貯湯タンク本体に配置された水回路アッセンブリと
を備え、
上記電装品アッセンブリは、
電装品箱と、
上記電装品箱内に収容された複数の電装品と
を有し、
上記水回路アッセンブリは、
水回路部品箱と、
上記水回路部品箱内に収容され、かつ、上記貯湯タンク本体に接続された水回路と、
上記水回路部品箱内に収容され、上記水回路内の水の流れを制御する弁装置と、
上記水回路部品箱内に収容されると共に、上記貯湯タンク本体内の水を上記水回路を介して吸い込んで外部へ吐出するポンプ装置と
を有し、
上記水回路アッセンブリは上記電装品アッセンブリの下方に配置され、
上記貯湯タンク本体の上部へ接続される配管への上記水回路の配管の接続口は、上記水回路部品箱の上部において上方に開口し、
上記水回路部品箱の上部において上方に開口する接続口は複数あって、この複数の接続口は上記水回路部品箱の上記上部の上記端部において上縁に沿って整列していることを特徴としている。
【０００９】
上記構成の貯湯タンク装置によれば、上記水回路アッセンブリの水回路部品箱内には、貯湯タンク本体に接続される水回路と、この水回路内の水の流れを制御する弁装置と、貯湯タンク本体内の水を水回路を介して吸い込んで外部へ吐出するポンプ装置とが収容されている。
【００１０】
したがって、上記水回路、弁装置およびポンプ装置は水回路部品箱と共に持ち運べるので、持ち運び易く、搬入性を向上させることができる。
【００１１】
また、上記水回路、弁装置およびポンプ装置は、夫々が機能を発揮できる状態で水回路部品箱に収容されているので、設置場所で組み立てなくてもよく、設置場所での組み立て性を良好にすることができる。
【００１２】
また、上記水回路、弁装置およびポンプ装置は、夫々が機能を発揮できる状態で水回路部品箱に収容されているので、設置場所で組み立てることによる不具合が生じず、信頼性を高くすることができる。
また、上記水回路アッセンブリは電装品アッセンブリの下方に配置されているので、仮に水回路アッセンブリから水が滴下しても、その水は電装品アッセンブリにかからない。
したがって、上記電装品アッセンブリ内に水が浸入して電装品が故障するのを防ぐことができる。
また、上記貯湯タンク本体の上部へ接続される配管への水回路の配管の接続口は、水回路部品箱の上部において上方に開口しているので、その貯湯タンク本体の上部へ接続される配管と容易に接続することができる。
したがって、上記水回路の配管の接続口が水回路部品箱の上部において上方に開口していない場合に比べて、組み立て性を向上させることができる。
また、上記水回路部品箱の上部の端部において上方に開口する複数の接続口は、水回路部品箱の上記上部の上記端部において上縁に沿って整列しているので、その複数の接続口のそれぞれに同じ感覚で配管接続を行うことができる。
【００１３】
一実施形態の貯湯タンク装置では、
上記電装品アッセンブリおよび水回路アッセンブリは、支柱に取り付けられ、上記貯湯タンク本体の同じ一側に配置されている。
【００１４】
上記実施形態の貯湯タンク装置によれば、上記電装品アッセンブリおよび水回路アッセンブリは、支柱に取り付け、貯湯タンク本体の同じ一側に配置させるので、貯湯タンク本体の同じ一側から電装品アッセンブリおよび水回路アッセンブリの取り付けを行える。
【００１５】
したがって、上記電装品アッセンブリおよび水回路アッセンブリの取り付けにかかる労力を軽減することができる。
【００１６】
【００１７】
【００１８】
【００１９】
【００２０】
【００２１】
【００２２】
【００２３】
【００２４】
一実施形態の貯湯タンク装置では、
上記貯湯タンク本体の下部へ接続される配管への上記水回路の配管の接続口は、上記水回路部品箱の下部において下方に開口している。
【００２５】
上記実施形態の貯湯タンク装置によれば、上記貯湯タンク本体の下部へ接続される配管への水回路の配管の接続口は、水回路部品箱の下部において下方に開口しているので、その貯湯タンク本体の下部へ接続される配管と容易に接続することができる。
【００２６】
したがって、上記水回路の配管の接続口が水回路部品箱の下部において下方に開口していない場合に比べて、組み立て性を向上させることができる。
【００２７】
一実施形態の貯湯タンク装置では、
上記水回路部品箱の下部において下方に開口する接続口は複数あって、この複数の接続口は上記水回路部品箱の下縁に沿って整列している。
【００２８】
上記実施形態の貯湯タンク装置によれば、上記水回路部品箱の下部において下方に開口する複数の接続口は、水回路部品箱の下縁に沿って整列しているので、その複数の接続口のそれぞれに同じ感覚で配管接続を行うことができる。
【００２９】
一実施形態の貯湯タンク装置では、
上記貯湯タンク本体の下部へ接続される配管は、略Ｕ字状に屈曲した部分を有する。
【００３０】
上記実施形態の貯湯タンク装置によれば、上記貯湯タンク本体の下部へ接続される配管、略Ｕ字状に屈曲した部分を有するので、略Ｕ字状に屈曲した部分の屈曲の程度を変えて、水回路アッセンブリの高さ方向の位置の調整を容易に行うことができる。
【００３１】
一実施形態の貯湯タンク装置では、
側方へ延びる配管への上記水回路の配管の接続口は、上記水回路部品箱の側部において側方に開口している。
【００３２】
上記実施形態の貯湯タンク装置によれば、上記側方へ延びる配管への水回路の配管の接続口は、水回路部品箱の側部において側方に開口しているので、その側方へ延びる配管と容易に接続することができる。
【００３３】
したがって、上記水回路の配管の接続口が水回路部品箱の側部において側方に開口していない場合に比べて、組み立て性を向上させることができる。
【００３４】
一実施形態の貯湯タンク装置では、
上記水回路部品箱の側部において側方に開口している接続口は複数あって、この複数の接続口は上記水回路部品箱の側縁に沿って整列している。
【００３５】
上記実施形態の貯湯タンク装置によれば、上記水回路部品箱の側部において側方に開口している複数の接続口は、水回路部品箱の側縁に沿って整列しているので、その複数の接続口のそれぞれに同じ感覚で配管接続を行うことができる。
【００３６】
一実施形態の貯湯タンク装置では、
上記貯湯タンク本体の上部と上記水回路部品箱の上部とを接続すると共に、上記貯湯タンク本体の上部内と上記水回路の配管とを連通させる第１配管と、
上記貯湯タンク本体の中間部と上記水回路部品箱の側部とを接続すると共に、上記貯湯タンク本体の中間部内と上記水回路の配管とを連通させる第２配管と、
上記貯湯タンク本体の下部と上記水回路部品箱の下部とを接続すると共に、上記貯湯タンク本体の下部内と上記水回路の配管とを連通させる第３配管と
を備えている。
【００３７】
ここで、上記貯湯タンク本体の中間部とは、貯湯タンク本体の上下方向の中央部を含む部分であって、貯湯タンク本体において上部と下部との間にある部分を指す。
【００３８】
上記実施形態の貯湯タンク装置によれば、上記貯湯タンク本体内のお湯を上手に使おうと思えば、貯湯タンク本体内のお湯の温度分布を考慮する必要がある。
【００３９】
上記貯湯タンク本体の上部内のお湯の温度は例えば６０℃〜８０℃の範囲内とし、かつ、貯湯タンク本体の中間部内のお湯の温度は例えば４０℃〜５０℃の範囲内とし、かつ、貯湯タンク本体の下部内のお湯の温度は例えば４０℃未満とすることできる。
【００４０】
したがって、比較的高温のお湯が必要な場合、貯湯タンク本体の上部内のお湯を使用すると共に、比較的低温のお湯が必要な場合、貯湯タンク本体の中間部内のお湯を使用すれば、貯湯タンク本体内のお湯を効率良く使用することができる。
【００４１】
また、上記貯湯タンク本体内のお湯を例えばヒートポンプユニットで沸き上げる場合、貯湯タンク本体の下部内のお湯をヒートポンプユニットに供給すれば、ヒートポンプユニットのＣＯＰ（成績係数）を向上させることができる。
【００４２】
したがって、上記水回路の配管内は、第１配管によって貯湯タンク本体の上部内と連通し、かつ、第２配管によって貯湯タンク本体の中間部と連通し、かつ、第３配管によって貯湯タンク本体の下部と連通するので、貯湯タンク本体内のお湯を効率良く使用することができ、その上、ヒートポンプユニットのＣＯＰを向上させることができる。
【００４３】
また、上記貯湯タンク本体の上部と水回路部品箱の上部とを第１配管で接続し、かつ、貯湯タンク本体の中間部と水回路部品箱の側部とを第２配管で接続し、かつ、貯湯タンク本体の下部と水回路部品箱の下部とを第３配管で接続するので、貯湯タンク本体および水回路部品箱の接続箇所同士を近くして、配管接続の作業を容易に行うことができる。
【００４４】
また、上記貯湯タンク本体の上部と水回路部品箱の上部とを第１配管で接続し、かつ、貯湯タンク本体の中間部と水回路部品箱の側部とを第２配管で接続し、かつ、貯湯タンク本体の下部と水回路部品箱の下部とを第３配管で接続することによって、第１配管、第２配管および第３配管の長さを最短にすることができるので、製造コストを低減できる。
【００４５】
また、上記第１配管、第２配管および第３配管の長さが最短になると、第１配管、第２配管および第３配管が軽くなるので、第１配管、第２配管および第３配管の運搬が容易になり、運搬者にかかる負担を大きく軽減できる。
【００４６】
一実施形態の貯湯タンク装置では、
上記第３配管は略Ｕ字状に屈曲した部分を有する。
【００４７】
上記実施形態の貯湯タンク装置によれば、上記第３配管は、略Ｕ字状に屈曲した部分を有するので、略Ｕ字状に屈曲した部分の屈曲の程度を変えて、水回路アッセンブリの高さ方向の位置の調整を容易に行うことができる。
【００４８】
一実施形態の貯湯タンク装置では、
上記水回路の配管の接続口は、上記水回路部品箱の上面のみに設けられている。
【００４９】
上記実施形態の貯湯タンク装置によれば、上記水回路部品箱の上面のみに、水回路の配管の接続口を集めているので、その接続口への配管の接続忘れに一目で気付くことができる。
【００５０】
したがって、上記貯湯タンク装置の誤組み立てを防ぐことができる結果、貯湯タンク装置の信頼性を向上させることができる。
【００５１】
本発明の水回路アッセンブリは、
水回路部品箱と、
上記水回路部品箱内に収容された水回路と、
上記水回路部品箱内に収容され、上記水回路の水の流れを制御する弁装置と、
上記水回路部品箱内に収容されると共に、上記水回路の水を吸い込んで外部へ吐出するポンプ装置と
を有し、
上記水回路部品箱の上部には、上記水回路の配管の接続口が上方に開口するように設けられ、
上記水回路部品箱の上部の端部において上方に開口する接続口は複数あって、この複数の接続口は上記水回路部品箱の上記上部の上記端部において上縁に沿って整列していることを特徴としている。
【００５２】
上記構成の水回路アッセンブリによれば、上記水回路部品箱内には、水回路と、この水回路の水の流れを制御する弁装置と、水回路の水を吸い込んで外部へ吐出するポンプ装置とが収容されている。
【００５３】
したがって、上記水回路、弁装置およびポンプ装置は水回路部品箱と共に持ち運べるので、持ち運び易く、搬入性を向上させることができる。
【００５４】
また、上記水回路、弁装置およびポンプ装置は、夫々が機能を発揮できる状態で水回路部品箱に収容されているので、設置場所で組み立てなくてもよく、設置場所での組み立て性を良好にすることができる。
【００５５】
また、上記水回路、弁装置およびポンプ装置は、夫々が機能を発揮できる状態で水回路部品箱に収容されているので、設置場所で組み立てることによる不具合が生じず、信頼性を高くすることができる。
【００５６】
また、上記水回路部品箱の上部には、上記水回路の配管の接続口が上方に開口するように設けられているので、その接続口に例えば外部配管が接続されているか否かの視認が容易である。
【００５７】
したがって、上記接続口への外部配管の接続忘れに容易に気付くことができるので、配管接続の作業ミスを低減して、信頼性を向上させることができる。
【００５８】
仮に、上記接続口に外部配管の接続しないまま運転を行ったなら、故障が発生したり、その接続口から無駄に水が溢れでたりする可能性があるため、配管接続の作業ミスを低減することは重要である。
【００５９】
また、上記水回路アッセンブリを例えば貯湯タンク本体の側方に配置し、貯湯タンク本体の上部と水回路の配管の接続口とを例えば外部配管で接続する場合、水回路の配管の接続口は、上方に開口するように水回路部品箱の上部に設けられているので、貯湯タンク本体の上部の近くに配置できる。
【００６０】
したがって、上記接続口への外部配管の接続に関する作業性を向上させることができる。
【００６１】
また、上記接続口を貯湯タンク本体の上部の近くに配置することによって、外部配管の長さを短くできるので、製造コストを低減できる。
【００６２】
また、上記外部配管の長さを短くすることによって、外部配管が軽くなるので、外部配管の運搬が容易になり、運搬者にかかる負担を軽減できる。
また、上記水回路部品箱の上部の端部において上方に開口する複数の接続口は、水回路部品箱の上記上部の上記端部において上縁に沿って整列しているので、その複数の接続口のそれぞれに同じ感覚で配管接続を行うことができる。
【００６３】
【００６４】
【００６５】
一実施形態の水回路アッセンブリでは、
上記水回路部品箱の下部には、上記水回路の配管の接続口が下方に開口するように設けられている。
【００６６】
上記実施形態の水回路アッセンブリを例えば貯湯タンク本体の側方に配置し、貯湯タンク本体の下部と水回路の配管の接続口とを例えば外部配管で接続する場合、水回路の配管の接続口は、下方に開口するように水回路部品箱の下部に設けられているので、貯湯タンク本体の下部の近くに配置できる。
【００６７】
したがって、上記接続口への外部配管の接続に関する作業性を向上させることができる。
【００６８】
また、上記接続口を貯湯タンク本体の下部の近くに配置することによって、外部配管の長さを短くできるので、製造コストを低減できる。
【００６９】
また、上記外部配管の長さを短くすると、外部配管が軽くなるので、外部配管の運搬が容易になり、運搬者にかかる負担を軽減できる。
【００７０】
一実施形態の水回路アッセンブリでは、
上記水回路部品箱の下部において下方に開口する接続口は複数あって、この複数の接続口は上記水回路部品箱の下縁に沿って整列している。
【００７１】
上記実施形態の水回路アッセンブリによれば、上記水回路部品箱の下部において下方に開口する複数の接続口は、水回路部品箱の下縁に沿って整列しているので、その複数の接続口のそれぞれに同じ感覚で配管接続を行うことができる。
【００７２】
一実施形態の水回路アッセンブリでは、
上記水回路部品箱の側部には、上記水回路の配管の接続口が側方に開口するように設けられている。
【００７３】
上記実施形態の水回路アッセンブリによれば、上記水回路の配管の接続口に、例えば側方へ延びる外部配管を接続する場合、水回路の配管の接続口は、側方に開口するように水回路部品箱の側部に設けられているので、その側方へ延びる配管と容易に接続することができる。
【００７４】
したがって、上記接続口への外部配管の接続に関する作業性を向上させることができる。
【００７５】
一実施形態の水回路アッセンブリでは、
上記水回路部品箱の側部において側方に開口している接続口は複数あって、この複数の接続口は上記水回路部品箱の側縁に沿って整列している。
【００７６】
上記実施形態の水回路アッセンブリによれば、上記水回路部品箱の側部において側方に開口している複数の接続口は、水回路部品箱の側縁に沿って整列しているので、その複数の接続口のそれぞれに同じ感覚で配管接続を行うことができる。
【発明の効果】
【００７７】
本発明の貯湯タンク装置によれば、水回路アッセンブリの水回路部品箱内には、水回路、弁装置およびポンプ装置が収容されているので、水回路、弁装置およびポンプ装置は水回路部品箱と共に容易に持ち運べるので、搬入性を向上させることができる。
【００７８】
また、上記水回路、弁装置およびポンプ装置は、夫々が機能を発揮できる状態で水回路部品箱に収容されているので、設置場所で組み立てなくてもよく、設置場所での組み立て性を良好にすることができる。
【００７９】
また、上記水回路、弁装置およびポンプ装置は、夫々が機能を発揮できる状態で水回路部品箱に収容されているので、組立ミスが生じることがなく、信頼性を高くすることができる。従来では水回路部品を設置場所で組み立てていたため、誤接続等の組立ミスが生じていたのである。
【００８０】
本発明の水回路アッセンブリによれば、水回路部品箱内には、水回路と、この水回路の水の流れを制御する弁装置と、水回路の水を吸い込んで外部へ吐出するポンプ装置とが収容されているので、上記水回路、弁装置およびポンプ装置は水回路部品箱と共に持ち運べるので、持ち運び易く、搬入性を向上させることができる。
【００８１】
また、上記水回路、弁装置およびポンプ装置は、夫々が機能を発揮できる状態で水回路部品箱に収容されているので、設置場所で組み立てなくてもよく、設置場所での組み立て性を良好にすることができる。
【００８２】
また、上記水回路、弁装置およびポンプ装置は、夫々が機能を発揮できる状態で水回路部品箱に収容されているので、設置場所で組み立てることによる不具合が生じず、信頼性を高くすることができる。
【００８３】
また、上記水回路の配管の接続口が水回路部品箱の上部にあることによって、接続口への例えば外部配管の接続忘れに容易に気付くことができるので、配管接続の作業ミスを低減して、信頼性を向上させることができる。
【００８４】
また、上記水回路の配管の接続口が水回路部品箱の上部にあることによって、貯湯タンク本体の上部の近くに配置できるので、その接続口と貯湯タンク本体の上部とを例えば外部配管で作業性良く接続できる。
【００８５】
また、上記接続口を貯湯タンク本体の上部の近くに配置することによって、外部配管の長さを短くできるので、製造コストを低減できる。
【００８６】
また、上記外部配管の長さを短くすることによって、外部配管が軽くなるので、外部配管の運搬による疲労を軽減できる。
【発明を実施するための最良の形態】
【００８７】
以下、本発明の貯湯タンク装置を図示の実施の形態により詳細に説明する。
【００８８】
〔第１実施形態〕
図１は本発明の第１実施形態の貯湯タンク装置の分解した状態を斜め上方から見た概略図である。
【００８９】
上記貯湯タンク装置は、貯湯タンク本体１と、この貯湯タンク本体１の一側方に配置される電装品アッセンブリ２と、その貯湯タンク本体１の一側方に配置される水回路アッセンブリ３とを備えている。この貯湯タンク装置は、図示しないヒートポンプユニットおよびラジエタに接続されている。
【００９０】
上記貯湯タンク本体１は底フレーム４上に載置されている。また、上記貯湯タンク本体１の一側方には支柱フレーム５が立設されている。なお、上記支柱フレーム５は支柱の一例である。
【００９１】
上記支柱フレーム５の上部の上部には電装品アッセンブリ２が取り付けられる一方、支柱フレーム５の下部には水回路アッセンブリ３が取り付けられる。
【００９２】
また、上記貯湯タンク本体１内には、図５に示すように、コイル状のパイプからなる給湯用熱交換器６と、貯湯タンク本体１内の水を直接加熱するヒータ７とが配置されている。そして、上記貯湯タンク本体１内の各部の水の温度を検出するため、複数の温度センサ８を貯湯タンク本体１に設けている。この複数の温度センサ８は、貯湯タンク本体１内の各部の水の温度を検出し、その温度を示す信号を電装品アッセンブリ２に送る。
【００９３】
また、上記貯湯タンク本体１内の水は、屋外のヒートポンプユニットで沸き上げる。そして、上記沸き上がった水は、屋内の居室に設置されたラジエタに送られる。そして、上記ラジエタで熱を放出して低温となった水が貯湯タンク本体１に戻る。このような水の循環が繰り返されることによって、室内が暖房される。
【００９４】
また、上記給湯用熱交換器６内には給湯水を流す。これにより、上記給湯水は、給湯用熱交換器６を介して、貯湯タンク本体１内の水と熱交換して、高温となる。この高温の給湯水が、屋内の居室の給湯ノズル（図示せず）に送られる。
【００９５】
図２は上記電装品アッセンブリ２の概略構成図である。なお、図２では電装品箱２０１の蓋の図示を省略している。
【００９６】
上記電装品アッセンブリ２は、電装品箱２０１と、この電装品箱２０１内に収容されたリレー２０２、ブレーカー２０３、トランス２０４および基板２０５とを有している。この基板２０５は、図示しない複数の電子部品を複数搭載している。なお、上記リレー２０２、ブレーカー２０３およびトランス２０４は電装品の一例である。
【００９７】
図３は上記水回路アッセンブリ３の概略図である。なお、図２では水回路部品箱３０１の蓋の図示を省略している。
【００９８】
上記水回路アッセンブリ３は水回路部品箱３０１を有している。この水回路部品箱３０１内には、貯湯タンク本体１に接続された水回路３０２と、この水回路３０２内の水の流れを制御する給湯用混合弁３０３、沸き上げ用三方弁３０４、暖房用三方弁３０５および暖房用混合弁３０６と、貯湯タンク本体１内の水を水回路３０２を介して吸い込んで外部へ吐出する沸き上げ用循環ポンプ３０７および暖房用循環ポンプ３０８とを収容している。なお、上記給湯用混合弁３０３、沸き上げ用三方弁３０４、暖房用三方弁３０５および暖房用混合弁３０６は、弁装置の一例である。また、上記沸き上げ用循環ポンプ３０７および暖房用循環ポンプ３０８は、ポンプ装置の一例である。
【００９９】
上記水回路部品箱３０１の上部には接続口Ａ，Ｂ，Ｃが設けられている。また、上記水回路部品箱３０１の一方の側部には接続口Ｈ，Ｊ，Ｋ，Ｌ，Ｎ，Ｍ，Ｐが設けられている。そして、上記水回路部品箱３０１の下部には接続口Ｄ，Ｅ，Ｆ，Ｇが設けられている。
【０１００】
上記接続口Ａ，Ｂ，Ｃは、水回路部品箱３０１の上部において上方に開口し、水回路部品箱３０１の上縁に沿って整列している。そして、上記接続口Ａは、貯湯タンク本体１の上部へ向けて水を吐出したり、貯湯タンク本体１の上部から出た水を受けたりする。また、上記接続口Ｂ，Ｃは貯湯タンク本体１の上部から出た水を受ける。すなわち、上記接続口Ａ，Ｂ，Ｃは貯湯タンク本体１の上部と水をやり取りする。
【０１０１】
上記接続口Ｈ，Ｊ，Ｋ，Ｌ，Ｎ，Ｍ，Ｐは、水回路部品箱３０１の側部において側方に開口し、水回路部品箱３０１の側縁に沿って整列している。そして、上記接続口Ｌはヒートポンプユニットへ向けて水を吐出し、ヒートポンプユニットで加熱された水が接続口Ｋ，Ｎに戻る。また、上記接続口Ｐは給湯用熱交換器６（図５参照）で加熱すべき給湯水が流入し、給湯用熱交換器６で加熱された給湯水は接続口Ｍから吐出される。また、上記接続口Ｈは貯湯タンク本体１内で沸き上がった水をラジエタへ向けて吐出し、ラジエタで熱を放出した水が接続口Ｊに戻る。
【０１０２】
上記接続口Ｄ，Ｅ，Ｆ，Ｇは、水回路部品箱３０１の下部において下方に開口し、水回路部品箱３０１の下縁に沿って整列している。そして、上記接続口Ｄ，Ｅ，Ｆは、貯湯タンク本体１の下部へ向けて水を吐出する。また、上記接続口Ｇは貯湯タンク本体１の下部から出た水を受ける。すなわち、上記接続口Ｄ，Ｅ，Ｆ，Ｇは貯湯タンク本体１の下部と水をやり取りする。
【０１０３】
上記沸き上げ用循環ポンプ３０７は、図４，図５に示すように、貯湯タンク本体１内の水を吸い込み、この吸い込んだ水をヒートポンプユニットへ向けて吐出する。上記貯湯タンク本体１から沸き上げ用循環ポンプ３０７に向かって流れる水の流量は第１流量センサ３０９で検出される。
【０１０４】
上記沸き上げ用三方弁３０４は、ヒートポンプユニットで加熱された水を貯湯タンク本体１の上部に流したり、貯湯タンク本体１の下部に流したりする。上記ヒートポンプユニットから沸き上げ用三方弁３０４へ向かって流れる水の温度は第１温度センサ３１０で検出される。
【０１０５】
上記給湯用混合弁３０３は、貯湯タンク本体１内の給湯用熱交換器６に向かって流れる低温の給湯水の一部と、その給湯用熱交換器６から出た高温の給湯水とを混合する。この高温の給湯水の温度は第２温度センサ３１１で検出される。そして、上記給湯用混合弁３０３が吐出する給湯水は、第３温度センサ３１２によって温度が検出され、第２流量センサ３１３で流量が検出される。
【０１０６】
上記暖房用三方弁３０５は、貯湯タンク本体１内の上部の水を暖房用循環ポンプ３０８に送ったり、貯湯タンク本体１内の上下方向の中央部の水を暖房用循環ポンプ３０８に送ったりする。
【０１０７】
上記暖房用循環ポンプ３０８は、貯湯タンク本体１内で沸き上がった水を暖房用三方弁３０５を介して吸い込み、ラジエタへ向けて吐出する。この暖房用循環ポンプ３０８からラジエタへ向かう水の温度は第４温度センサ３１４で検出される。そして、上記ラジエタを出て貯湯タンク本体１へ戻る水は、圧力計３１５で水圧が検出され、第５温度センサ３１６で温度が検出され、第３流量センサ３１７で流量が検出される。
【０１０８】
上記暖房用混合弁３０６は暖房用三方弁３０５と暖房用循環ポンプ３０８との間に設けられている。そして、上記暖房用混合弁３０６は、貯湯タンク本体１から暖房用循環ポンプ３０８へ向かう水と、ラジエタから貯湯タンク本体１へ向かう水から分岐した一部とを混合する。この混合比率を調節すれば、ラジエタに供給する水の温度を所望値に調整できる。
【０１０９】
以下、上記貯湯タンク装置の組み立て方について説明する。
【０１１０】
まず、図６に示すように、上記貯湯タンク本体１を底フレーム４上に載置した後、水回路アッセンブリ３を支柱フレーム５の下部にねじで固定する。
【０１１１】
次に、図７に示すように、上記貯湯タンク本体１および水回路アッセンブリ３に上側配管１０を接続する。この接続方式としてクイックジョイントを採用している。
【０１１２】
次に、図８に示すように、上記貯湯タンク本体１および水回路アッセンブリ３に下側配管１１を接続する。この接続方式にもクイックジョイント方式を採用している。また、下側配管１１は略Ｕ字状に屈曲した部分を有するので、この略Ｕ字状に屈曲した部分の屈曲の程度を変えて、水回路アッセンブリ３の高さ方向の位置の調整を容易に行うことができる。
【０１１３】
次に、図９に示すように、上記電装品アッセンブリ２を支柱フレーム５の上部にねじで固定すれば、貯湯タンク装置の組み立ては終了する。これにより、上記上側配管１０の上下方向に沿って延びる部分の大部分が、貯湯タンク本体１と電装品アッセンブリ２との間に位置する。
【０１１４】
上記電装品アッセンブリ２および水回路アッセンブリ３は持ち運び易いので、搬入性を向上させることができる。
【０１１５】
また、上記水回路アッセンブリ３によって、水回路３０２、給湯用混合弁３０３、…および暖房用循環ポンプ３０８と水回路３０２との接続を設定場所で行わなくてもよいから、組み立て性が良好である。
【０１１６】
また、上記水回路アッセンブリ３によって、水回路３０２、給湯用混合弁３０３、…および暖房用循環ポンプ３０８を設置場所で組み立てることによる不具合が生じず、信頼性が高くなる。
【０１１７】
また、上記電装品アッセンブリ２および水回路アッセンブリ３の取り付けは貯湯タンク本体１の同じ一側から行えるので、電装品アッセンブリ２および水回路アッセンブリ３の取り付けにかかる労力を軽減することができる。
【０１１８】
また、上記水回路アッセンブリ３は電装品アッセンブリ２の下方に配置されているので、仮に水回路アッセンブリ３から水が滴下しても、その水は電装品アッセンブリ２にかからない。
【０１１９】
したがって、上記電装品アッセンブリ２内に水が浸入して電装品が故障するのを防ぐことができる。
【０１２０】
また、上記上側配管１０への水回路３０２の配管の接続口Ａ，Ｂ，Ｃは、水回路部品箱３０１の上部において上方に開口しているので、その上側配管１０と容易に接続することができる。
【０１２１】
したがって、上記接続口Ａ，Ｂ，Ｃが水回路部品箱３０１の上部において上方に開口していない場合に比べて、組み立て性を向上させることができる。
【０１２２】
また、上記水回路部品箱３０１の上部において上方に開口する接続口Ａ，Ｂ，Ｃは、水回路部品箱３０１の上縁に沿って整列しているので、その接続口Ａ，Ｂ，Ｃのそれぞれに同じ感覚で配管接続を行える。
【０１２３】
また、上記下側配管１１への水回路３０２の配管の接続口Ｄ，Ｅ，Ｆ，Ｇは、水回路部品箱３０１の下部において下方に開口しているので、下側配管１１と容易に接続することができる。
【０１２４】
したがって、上記接続口Ｄ，Ｅ，Ｆ，Ｇが水回路部品箱３０１の下部において下方に開口していない場合に比べて、組み立て性を向上させることができる。
【０１２５】
また、上記水回路部品箱３０１の下部において下方に開口する接続口Ｄ，Ｅ，Ｆ，Ｇは、水回路部品箱３０１の下縁に沿って整列しているので、その接続口Ｄ，Ｅ，Ｆ，Ｇのそれぞれに同じ感覚で配管接続を行える。
【０１２６】
また、側方へ延びる配管（図示せず）への水回路３０２の配管の接続口Ｈ，Ｊ，Ｋ，Ｌ，Ｎ，Ｍ，Ｐは、水回路部品箱３０１の側部において側方に開口しているので、その側方へ延びる配管と容易に接続することができる。
【０１２７】
したがって、上記接続口Ｈ，Ｊ，Ｋ，Ｌ，Ｎ，Ｍ，Ｐが水回路部品箱３０１の側部において側方に開口していない場合に比べて、組み立て性を向上させることができる。
【０１２８】
また、上記水回路部品箱３０１の側部において側方に開口している接続口Ｈ，Ｊ，Ｋ，Ｌ，Ｎ，Ｍ，Ｐは、水回路部品箱３０１の側縁に沿って整列しているので、その接続口Ｈ，Ｊ，Ｋ，Ｌ，Ｎ，Ｍ，Ｐのそれぞれに同じ感覚で配管接続を行える。
【０１２９】
また、上記貯湯タンク本体１、電装品アッセンブリ２および水回路アッセンブリ３は一体化すると、貯湯タンク本体１、電装品アッセンブリ２および水回路アッセンブリ３の全てが底フレーム４上の領域内に空間内に収まるので、設置スペースは小さくすることがきる。
【０１３０】
また、上記貯湯タンク本体１、電装品アッセンブリ２および水回路アッセンブリ３のそれぞれは、クレーン等の重機を用いなくても、例えば２、３人の配管設備業者だけで搬入することができる。
【０１３１】
したがって、上記クレーン等の重機の使用コストを省け、かつ、人件費も低く抑えることができるので、設置にかかるコストを低減できる。
【０１３２】
また、上記水回路アッセンブリ３と上側配管１０，下側配管１１との接続方式はクイックジョイントであるから、配管接続にかかる時間を短くすることができる。
【０１３３】
また、上記貯湯タンク本体１、電装品アッセンブリ２および水回路アッセンブリ３を組み立てないで車に積んで設置場所近くまで行くので、貯湯タンク本体１、電装品アッセンブリ２および水回路アッセンブリ３を積むための容積を小さくすることができる。
【０１３４】
ところで、欧州においては、ＥＵ労働安全衛生法90/269/EEC（http://osh.sm.ee/legislation/manual-handling.stm）に記載されているように、基本は、荷の重量だけではなく、作業姿勢も含めて、点数をつけてその点数でリスクレベルを決めている。重量においては、男性は１人で４０ｋｇ以上の荷を扱う場合が最も高いリスクレベルとされ、女性は２５ｋｇ以上の荷を１人で扱う場合が最も高いリスクレベルとされている。
【０１３５】
本第１実施形態において、貯湯タンク本体１は６５ｋｇ、電装品アッセンブリ２は１８ｋｇ、水回路アッセンブリ３は１８ｋｇとなっているので、貯湯タンク本体１は男女ともに１人での搬入に支障を生じるが、電装品アッセンブリ２および水回路アッセンブリ３はどちらも男女関係なく１人で支障なく搬入できる。
【０１３６】
すなわち、男女に関係なく、搬入者は、腰痛等の障害を受けることなく、電装品アッセンブリ２および水回路アッセンブリ３の搬入を安全に行える。
【０１３７】
また、日本においては、労働基準法施行規則別表第１の２（３５条（３））にて、５１年基発第７５０号を支持している。
【０１３８】
本７５０号は、厚生労働省の腰痛認定基準であり、２０ｋｇ以上の荷物を一日の１／２以上繰り返すこと、３０ｋｇ以上の荷物を一日の１／３程度繰り返すことがある期間継続された場合、労災（腰痛）の認定の判断基準になる。
【０１３９】
したがって、日本においても、電装品アッセンブリ２および水回路アッセンブリ３の搬入を安全に行うことができる。
【０１４０】
〔第２実施形態〕
図１０は本発明の第２実施形態の貯湯タンク装置の要部の模式図である。なお、図２において、図３，５に示した第１実施形態の構成部と同一構成部は、図３における構成部と同一の参照番号を付して説明を省略するか、あるいは、簡単に説明する。
【０１４１】
上記貯湯タンク装置は、貯湯タンク本体２１と、この貯湯タンク本体２１に対して水平方向において隣り合うように配置された水回路アッセンブリ３３とを備えている。この貯湯タンク装置は、上記第１実施形態と同様に、屋外のヒートポンプユニット（図示せず）と、屋内のラジエタ（図示せず）とに接続されている。
【０１４２】
上記貯湯タンク本体２１内には、ヒートポンプによって沸き上げられたお湯が貯まる。より詳しくは、上記貯湯タンク本体２１の上部２１ａには６０℃〜８０℃の範囲内のお湯が貯まり、かつ、貯湯タンク本体２１の中間部２１ｂ内には４０℃〜５０℃の範囲内のお湯が貯まり、かつ、貯湯タンク本体２１の下部２１ｃ内には４０℃未満のお湯が貯まる。この貯湯タンク本体２１の上部２１ａ内または中間部２１ｂ内のお湯をラジエタに送って、屋内の部屋の暖房を行う。なお、上記ラジエタで放熱したお湯は再び貯湯タンク本体２１内に戻る。
【０１４３】
また、上記貯湯タンク本体２１は、お湯を出し入れするための接続口３１，３２，３３を有している。この接続口３１は、上方に向かって開口するように貯湯タンク本体２１の上部２１ａの天面に設けられている。また、上記接続口３２は、側方に向かって開口するように貯湯タンク本体２１の中間部２１ｂの側面に設けられている。そして、上記接続口３３を、側方に向かって開口するように貯湯タンク本体２１の下部２１ｃの側面に設けられている。
【０１４４】
また、図示しないが、上記貯湯タンク本体２１内には、コイル状のパイプからなる給湯用熱交換器と、貯湯タンク本体２１内に貯まる水を直接加熱するヒータとが配置されている。この給湯用熱交換器内を流れる給湯水は、貯湯タンク本体２１内のお湯との熱交換で温度が上昇する。
【０１４５】
上記水回路アッセンブリ２３は水回路部品箱３２１を有し、上記第１実施形態の水回路アッセンブリ３と同じく１８ｋｇの重量となっている。この水回路部品箱３２１内には、水回路３２２と、この水回路３２２の水の流れを制御する暖房用三方弁３０５および暖房用混合弁３０６と、貯湯タンク本体２１の水を水回路３２２を介して吸い込んで外部へ吐出する沸き上げ用循環ポンプ３０７および暖房用循環ポンプ３０８と、貯湯タンク本体２１から沸き上げ用循環ポンプ３０７に向かって流れる水の流量を検出する第１流量センサ３０９とを収容している。
【０１４６】
また、図示しないが、上記水回路アッセンブリ２３は、第１実施形態の給湯用混合弁３０３、沸き上げ用三方弁３０４、第１温度センサ３１０、第２温度センサ３１１、第３温度センサ３１２、第２流量センサ３１３、第４温度センサ３１４、圧力計３１５、第５温度センサ３１６および第３流量センサ３１７も有している。
【０１４７】
上記水回路部品箱３２１の上部には接続口Ａが設けられている。また、上記水回路部品箱３２１の一方の側部には接続口Ｂ’，Ｌが設けられている。そして、上記水回路部品箱３２１の下部には接続口Ｇが設けられている。
【０１４８】
上記接続口Ａは、第１配管４１を介して貯湯タンク本体２１の上部２１ａの接続口３１に接続されている。これにより、上記貯湯タンク本体２１の上部２１ａ内の高温（６０℃〜８０℃）のお湯を、水回路３２２の配管内に送って、接続口Ｈからラジエタへ向けて出湯できる。
【０１４９】
上記接続口Ｂ’は、水回路部品箱３２１の側部において側方に向かって開口するように設けられている。また、上記接続口Ｂ’は、第２配管４２を介して貯湯タンク本体２１の中間部２１ｂの接続口３２に接続されている。これにより、上記貯湯タンク本体２１の中間部２１ｂ内の中温（４０℃〜５０℃）のお湯を、水回路３２２の配管内に流して、接続口Ｈからラジエタへ向けて出湯できる。
【０１５０】
上記接続口Ｇは、第３配管４３を介して貯湯タンク本体２１の下部２１ｃの接続口３３に接続されている。これにより、上記貯湯タンク本体２１の下部２１ｃ内の低温（４０℃未満）のお湯を、水回路３２２の配管内に送って、接続口Ｌからヒートポンプユニット向けて出湯できる。
【０１５１】
また、図示しないが、上記水回路部品箱３２１の上部には上記第１実施形態の接続口Ｃも設けられ、水回路部品箱３２１の一方の側部には上記第１実施形態の接続口Ｈ，Ｊ，Ｋ，Ｌ，Ｎ，Ｍ，Ｐも設けられ、水回路部品箱３２１の下部には上記第１実施形態の接続口Ｄ，Ｅ，Ｆも設けられている。そして、上記接続口Ａ，Ｃは水回水回路部品箱３２１の上縁に沿って整列し、接続口Ｂ’，Ｈ，Ｊ，Ｋ，Ｌ，Ｎ，Ｍ，Ｐは水回路部品箱３２１の側縁に沿って整列し、接続口Ｄ，Ｅ，Ｆ，Ｇは水回路部品箱３２１の下縁に沿って整列している。
【０１５２】
図１１は上記第３配管４３の概略斜視図である。
【０１５３】
上記第３配管４３は、貯湯タンク本体２１の下部２１ｃの接続口３３に接続される端部４３ａと、水回路部品箱３２１の接続口Ｇに接続される端部４３ｂと、略Ｕ字状に屈曲した部分４３ｃとを有している。
【０１５４】
また、具体的な説明は省略するが、上記貯湯タンク装置は、上記第１実施形態の電装品アッセンブリ２も備えており、この電装品アッセンブリ２の下方に、水回路アッセンブリ２３を配置している。
【０１５５】
上記構成の貯湯タンク装置によれば、寒さが厳しい時には、貯湯タンク本体２１の上部２１ａ内の高温（６０℃〜８０℃）のお湯を第１配管４１および水回路３２２を介してラジエタに供給する。
【０１５６】
一方、寒さが厳しくない時には、貯湯タンク本体２１の中間部２１ｂ内の中温（４０℃〜６０℃）のお湯を第２配管４２および水回路３２２を介してラジエタに供給する。
【０１５７】
このように、寒さの程度に応じて、貯湯タンク本体２１内のお湯を使い分けれることによって、貯湯タンク本体２１内の熱を無駄に使わなくても、室内を十分に暖房することができる。
【０１５８】
また、上記貯湯タンク本体２１内に必要な温度のお湯が無くなれば、貯湯タンク本体２１内のお湯をヒートポンプユニットで沸き上げる。この際、上記貯湯タンク本体２１の下部２１ｃ内の低温（４０℃未満）のお湯が第３配管４３および水回路３２２を介してヒートポンプユニットに供給されるので、ヒートポンプユニットのＣＯＰを向上させることができる。
【０１５９】
また、上記貯湯タンク本体２１の上部２１ａの接続口３１と、水回路部品箱３２１の上部の接続口Ａとの間の距離は近いので、第１配管４１の接続作業を簡単に行うことができる。
【０１６０】
また、上記第１配管４１は、貯湯タンク本体２１の上部２１ａの接続口３１と、水回路部品箱３２１の上部の接続口Ａとを接続するので、長さを短くして、低コストで製造することができる。
【０１６１】
また、上記第１配管４１の長さを短くすることによって、第１配管４１が軽くなるので、第１配管４１を容易に運搬できる。
【０１６２】
また、上記貯湯タンク本体２１の中間部２１ｂの接続口３２と、水回路部品箱３２１の側部の接続口Ｂ’との間の距離は近いので、第２配管４２の接続作業も簡単に行うことができる。
【０１６３】
また、上記第２配管４２は、貯湯タンク本体２１の中間部２１ｂの接続口３２と、水回路部品箱３２１の側部の接続口Ｂ’とを接続するので、長さを短くして、製造コストを低く抑えることができる。
【０１６４】
また、上記第２配管４２の長さを短くすることによって、第２配管４２が軽くなるので、第２配管４２の運搬に関する負担を軽減できる。
【０１６５】
また、上記貯湯タンク本体２１の下部２１ｃの接続口３３と、水回路部品箱３２１の下部の接続口Ｇとの間の距離は近いので、第３配管４３の接続作業も簡単に行うことができる。
【０１６６】
また、上記第３配管４３は、貯湯タンク本体２１の下部２１ｃの接続口３３と、水回路部品箱３２１の上部の接続口Ｇとを接続するので、長さを短くして、製造コストを下げることができる。
【０１６７】
また、上記第３配管４３の長さを短くすることによって、第３配管４３が軽くなるので、運搬者は第３配管４３の運搬を容易に行える。
【０１６８】
また、上記第３配管４３は略Ｕ字状に屈曲した部分４３ｃを有するので、この略Ｕ字状に屈曲した部分４３ｃの屈曲の程度を変えて、水回路アッセンブリ２３の高さ方向の位置の調整を容易に行うことができる。
【０１６９】
上記第２実施形態では、水回路部品箱３２１の上部に接続口Ａ，Ｃを設け、かつ、水回路部品箱３２１の一方の側部に接続口Ｂ’，Ｈ，Ｊ，Ｋ，Ｌ，Ｎ，Ｍ，Ｐを設け、かつ、水回路部品箱３２１の下部に接続口Ｄ，Ｅ，Ｆ，Ｇを設けていたが、参考例では、図１２に示すように、水回路部品箱３３１の一方の側面に、接続口Ａ，Ｂ’，Ｃ，Ｄ，Ｅ，Ｆ，Ｇ，Ｈ，Ｊ，Ｋ，Ｌ，Ｎ，Ｍ，Ｐと同じ役割を果たす複数の接続口Ｒを設けてもよい。
【０１７０】
すなわち、本発明の参考例では、水回路３２２の配管の全ての接続口Ｒを水回路部品箱３３１の一方の側面のみに設けてもよい。
【０１７１】
このように、上記水回路部品箱の一方の側面のみに、水回路３２２の配管の全ての接続口Ｒを集めているので、その接続口Ｒへの配管５０の接続忘れに一目で気付くことができる。
【０１７２】
したがって、上記貯湯タンク装置の組み立てが不完な状態で終る可能性を下げることができ、貯湯タンク装置の信頼性を向上させることができる。
【０１７３】
また、図示しないが、上記水回路３２２の配管の全ての接続口を、水回路部品箱の上面のみに設けるようにしてもよい。
【図面の簡単な説明】
【０１７４】
【図１】図１は本発明の第１実施形態の貯湯タンク装置の概略図である。
【図２】図２は上記貯湯タンク装置の電装品アッセンブリの概略構成図である。
【図３】図３は上記貯湯タンク装置の水回路アッセンブリの概略構成図である。
【図４】図４は上記水回路アッセンブリの水回路図である。
【図５】図５は上記貯湯タンク装置の模式図である。
【図６】図６は上記貯湯タンク装置の一組み立て工程の概略図である。
【図７】図７は上記貯湯タンク装置の一組み立て工程の概略図である。
【図８】図８は上記貯湯タンク装置の一組み立て工程の概略図である。
【図９】図９は上記貯湯タンク装置の一組み立て工程の概略図である。
【図１０】図１０は本発明の第２実施形態の貯湯タンク装置の要部の模式図である。
【図１１】図１１は上記貯湯タンク装置の第３配管の概略斜視図である。
【図１２】図１２は本発明の参考例の貯湯タンク装置の概略斜視図である。
【符号の説明】
【０１７５】
１，２１  貯湯タンク本体
２  電装品アッセンブリ
３，２３  水回路アッセンブリ
５  支柱フレーム
１０  上側配管
１１  下側配管
２１ａ  上部
２１ｂ  中間部
２１ｃ  下部
４１  第１配管
４２  第２配管
４３  第３配管
Ａ，Ｂ，Ｂ’，Ｃ，Ｄ，Ｅ，Ｆ，Ｇ，Ｈ，Ｊ，Ｋ，Ｌ，Ｎ，Ｍ，Ｐ，Ｒ  接続口
２０１  電装品箱
２０２  リレー
２０３  ブレーカー
２０４  トランス
２０５  基板
３０１，３２１，３３１  水回路部品箱
３０２，３２２  水回路
３０３  給湯用混合弁
３０４  沸き上げ用三方弁
３０５  暖房用三方弁
３０６  暖房用混合弁
３０７  沸き上げ用循環ポンプ
３０８  暖房用循環ポンプ
【図１】
0004708484.tif 000002
【図２】
0004708484.tif 000003
【図３】
0004708484.tif 000004
【図４】
0004708484.tif 000005
【図５】
0004708484.tif 000006
【図６】
0004708484.tif 000007
【図７】
0004708484.tif 000008
【図８】
0004708484.tif 000009
【図９】
0004708484.tif 000010
【図１０】
0004708484.tif 000011
【図１１】
0004708484.tif 000012
【図１２】
0004708484.tif 000013